(57)【要約】【課題】  ユーザーが、眼鏡及びゴーグルのレンズの屈折率、紫外線の透過量、遮光性を任意に調整でき、また防曇処理を行うことができる眼鏡装置を提供する。【解決手段】  眼鏡装置１０は、眼鏡またはゴーグルの一部にマイクロポンプ６０が装着される眼鏡装置であって、流体輸送器によって、眼鏡またはゴーグルのレンズ３０や風防１０３が２層構造を有し、この層間に、マイクロポンプ６０によって前記レンズ３０の材料と同じ屈折率を有する液体を注入または吸引してレンズの屈折率が調整され、または、紫外線吸収性液体、遮光性液体を注入、吸引して光の透過率が調整される。さらに、眼鏡またはゴーグルのレンズ３０や風防１０３の表面に、マイクロポンプ６０によって外気よりも温度が高い気体を吐出、または表面活性剤を塗布し、眼鏡またはゴーグルのレンズ３０や風防１０３の曇りが除去され、あるいは曇りの発生を低減する。【選択図】      図１
2006251448.tif 000002
【特許請求の範囲】
【請求項１】
眼鏡またはゴーグルの一部に流体輸送器が装着される眼鏡装置であって、
流体輸送器によって、前記眼鏡またはゴーグルのレンズの内部または表面に流体を注入、吸引、または吐出することを特徴とする眼鏡装置。
【請求項２】
請求項１に記載の眼鏡装置において、
前記流体が気体であって、
前記流体輸送器には、気体を加熱するヒーターが備えられ、
前記流体輸送器によって、外気よりも温度が高い気体を前記レンズの表面に吐出することを特徴とする眼鏡装置。
【請求項３】
請求項１に記載の眼鏡装置において、
前記流体が表面活性剤であって、
前記流体輸送器によって、表面活性剤を吐出し、前記レンズ表面に表面活性剤を塗布することを特徴とする眼鏡装置。
【請求項４】
請求項１に記載の眼鏡装置において、
前記流体が前記レンズの材料と屈折率が同じ液体であって、
前記レンズが２層構造を有し、この層間に、前記流体輸送器によって、前記レンズと屈折率が同じ液体を注入または吸引してレンズの屈折率を変えることを特徴とする眼鏡装置。
【請求項５】
請求項１または請求項４に記載の眼鏡装置において、
前記流体が紫外線吸収性液体であって、
２層構造の前記レンズの層間に、前記流体輸送器によって、紫外線吸収性液体を注入または吸引することを特徴とする眼鏡装置。
【請求項６】
請求項１または請求項５に記載の眼鏡装置において、
前記流体が遮光性液体であって、
２層構造の前記レンズの層間に、前記流体輸送器によって、遮光性液体を注入または吸引することを特徴とする眼鏡装置。
【請求項７】
請求項１または請求項５、請求項６のいずれか一項に記載の眼鏡装置において、
前記眼鏡装置の一部に光検出センサーを備え、
前記光検出センサーの検出値に従い、前記流体輸送器を駆動し、２層構造の前記レンズの層間に紫外線吸収性液体または遮光性液体を注入または吸引することを特徴とする眼鏡装置。
【請求項８】
請求項１ないし請求項７のいずれか一項に記載の眼鏡装置において、
前記流体輸送器が、可撓性を有するチューブを圧搾して流体を流動する蠕動式ポンプであり、且つ、前記チューブの一部を閉塞していることを特徴とする眼鏡装置。
【請求項９】
請求項１ないし請求項８のいずれか一項に記載の眼鏡装置において、
前記流体輸送器が、流体の流動方向を切換える駆動切換え回路を備え、前記駆動切換え回路によって、流体の流動方向を切換えることを特徴とする眼鏡装置。
【発明の詳細な説明】
【技術分野】
【０００１】
本発明は、眼鏡装置に関し、詳しくは、流体輸送器を備える眼鏡装置に関する。
【背景技術】
【０００２】
従来、眼鏡には視力矯正を行うための矯正レンズが装着され、ユーザーの視力に応じ設定された矯正レンズが用いられる。また、水泳用のゴーグルにも、水中における視力矯正をするための矯正レンズが用いられることが一般的である。
また、サングラスには、戸外の明るい環境下では透光性を抑え、屋内では透光性を高める偏光レンズが採用されるものも存在する。
【０００３】
また、スキー用等のゴーグルには、視力矯正用のインナーゴーグルクリップが用いられ、このインナーゴーグルクリップにも前述したような一般の矯正レンズが用いられる。
さらに、溶接作業用のウエルディングゴーグルには、溶接作業時の有害光線を遮光する風防が用いられている。
【発明の開示】
【発明が解決しようとする課題】
【０００４】
しかしながら、前述したような眼鏡、水泳用ゴーグル、インナーゴーグルクリップ等に用いられる矯正レンズは、眼鏡購入時に設定された屈折率（度数）が固定されてレンズが用いられており、体調による矯正視力の低下や、遠用、近用の適正な切換えはできないという課題がある。
【０００５】
また、サングラスに用いられる遮光レンズも光透過率が固定されているものが一般的であり、近年採用される偏光レンズは、屋内において透光性を高めることはできても、その際、レンズに偏光材の色が残り、環境によっては不快感を与えるというようなことも考えられる。
【０００６】
さらに、眼鏡やゴーグルを装着したときに、曇ってしまい視認性が低下してしまうことがよくある。
【０００７】
また、ウエルディングゴーグルにおいては、溶接作業の種類によっては、有害光線の照射種類も異なることが考えられるが、最適な遮光性の任意に調整することは困難である。
【０００８】
本発明の目的は、ユーザーが、眼鏡及びゴーグルのレンズの屈折率、紫外線の透過量、遮光性を任意に調整でき、防曇処理を行うことができる眼鏡装置を提供することである。
【課題を解決するための手段】
【０００９】
本発明の眼鏡装置は、眼鏡またはゴーグルの一部に流体輸送器が装着される眼鏡装置であって、前記流体輸送器によって、前記眼鏡またはゴーグルのレンズの内部または表面に流体を注入、吸引、または吐出することを特徴とする。
ここで、眼鏡としては、例えば矯正眼鏡やサングラス、ゴーグルとしては、例えば水泳用ゴーグル、スキー用ゴーグル、溶接作業用ゴーグル等があり、流体としては、例えば、液体及び気体が含まれる。
【００１０】
本発明によれば、眼鏡またはゴーグルのレンズの内部に液体を注入、またはレンズの内部に収容されている液体を吸引することにより、レンズの屈折率（度数）を変え、ユーザーに最適な度数をユーザー自身が調整することができる。
【００１１】
また、レンズの表面に液体や気体等の流体を吐出することで、任意のタイミングで、レンズ表面の曇りを除去することができる。
【００１２】
また、前記流体が気体であって、前記流体輸送器には、気体を加熱するヒーターが備えられ、前記流体輸送器によって、外気よりも温度が高い気体を前記レンズ表面に吐出することが好ましい。
【００１３】
このように、流体輸送器にヒーターを備え、眼鏡やゴーグルを装着した際に、外気温とレンズの温度差により曇りが発生したときに、流体輸送器内で、例えば、空気を加熱してレンズ表面に吐出することにより、曇りを除去することができる。この操作もユーザーが必要としたときに容易に行うことができる。
【００１４】
また、前記流体が表面活性剤であって、前記流体輸送器によって、表面活性剤を吐出し、前記レンズ表面に表面活性剤を塗布することが好ましい。
【００１５】
レンズの防曇処理としては、表面活性剤を塗布またはコーティングすることが知られているが、本発明では、流体輸送器で表面活性剤を塗布し、レンズの防曇性能を高めることができる。なお、ユーザーが必要とするときに流体輸送器を駆動して表面活性剤を塗布することができるという効果がある。
【００１６】
また、前記流体が前記レンズの材料と屈折率が同じ液体であって、前記レンズが２層構造を有し、この層間に、前記流体輸送器によって、前記レンズと屈折率が同じ液体を注入または吸引してレンズの屈折率を変えることが好ましい。
【００１７】
このように、２層のレンズの間に液体を注入、または吸引することで、凹レンズ、凸レンズの厚みを変更して屈折率を変えることができ、ユーザーにとって最適な屈折率（度数）の眼鏡を得ることができる。
【００１８】
さらに、注入する液体をレンズの材料と同じ屈折率にすることで、レンズと液体との界面における光の全反射を防止して光の透過率を低下させず、また、像のゆがみを防止することができる。
なお、この液体は、レンズ材料との関係において不活性であることが、より好ましい。
【００１９】
また、前記流体が紫外線吸収性液体であって、２層構造の前記レンズの層間に、前記流体輸送器によって、紫外線吸収性液体を注入または吸引することが好ましい。
【００２０】
このように、レンズの層間に紫外線吸収性液体を注入することで、紫外線カット機能が高いサングラスを提供することができ、スキー用ゴーグル等には好適な構造である。また、紫外線吸収性液体を流体輸送器で吸引すれば、素通しの明るいレンズの状態も得ることができる。
【００２１】
また、前記流体が遮光性液体であって、２層構造の前記レンズの層間に、前記流体輸送器によって、遮光性液体を注入または吸引することが好ましい。
【００２２】
このようにすれば、仮に溶接作業の際に用いられるウエルディングゴーグル等において、溶接作業による有害光線の射出強度にあわせて選択された遮光性液体をレンズの層間に注入することで、作業の種類に合わせて遮光性のレベルを調整することができ、安全性を高めることができる。
【００２３】
また、前記眼鏡装置の一部に光検出センサーを備え、前記光検出センサーの検出値に従い、前記流体輸送器を駆動し、２層構造の前記レンズの層間に紫外線吸収性液体または遮光性液体を注入または吸引することが好ましい。
ここで、光検出センサーとしては、自然光の照度を測定、または発光物からの射出光の輝度を検出する光検出センサー、紫外線量を測定する紫外線検出センサー等がある。
【００２４】
このように、光検出センサーの検出値に従い、レンズ内に紫外線吸収性液体または遮光性液体を注入することにより、検出値に対応して紫外線や有害光を低減することができる。
【００２５】
また、本発明に採用される前記流体輸送器が、可撓性を有するチューブを圧搾して流体を流動する蠕動式ポンプであり、且つ、前記チューブの一部を閉塞していることを特徴とする。
【００２６】
このような蠕動式ポンプは、小型化が可能で、眼鏡やゴーグルに違和感なく装着することができる。また、流体として、液体及び気体を流動することができる。
さらに、流体を流動するチューブの一部を常時閉塞しているため、液体や気体の漏洩を防止し、同じ状態を維持することができる。
また、チューブは、可撓性を有しているため、眼鏡、ゴーグルを装着する際において、装着帯やテンプルを動かしても柔軟に連動することができる。
【００２７】
さらに、前記流体輸送器が、流体の流動方向を切換える駆動切換え回路を備え、前記駆動切換え回路によって、流体の流動方向を切換えることが望ましい。
【００２８】
このようにすれば、流体の吸入、吸引を容易に切換えることができ、ユーザーが簡単に操作し、最適な調整をすることができる。
【発明を実施するための最良の形態】
【００２９】
以下、本発明の実施の形態を図面に基づいて説明する。
図１〜図３は本発明の実施形態１に係る眼鏡装置が示され、図４には、実施形態２に係る眼鏡装置の一部、図５には、実施形態３に係る水泳用ゴーグルを例示、図６には、実施形態４に係るスキー用ゴーグルを例示、図７には、実施形態５に係る溶接作業用のウエルディングゴーグルを例示している。
（実施形態１）
【００３０】
図１〜図３は実施形態１に係る眼鏡装置が示されている。
図１は、本実施形態に係る眼鏡装置を例示した斜視図である。図１において、眼鏡装置１０は、眼鏡２０と流体輸送器としてのマイクロポンプ６０とから構成されている。
【００３１】
眼鏡２０は、レンズ３０と、レンズ３０を保持するリム４０と、眼鏡２０をユーザーに装着するテンプル５０と、テンプル５０とリム４０とを接続する智４５と、二つのレンズ３０を連結するブリッジ５５、テンプル５０と智４５を回動可能に連結する蝶番４６とから構成されている。また、テンプル５０には、マイクロポンプ６０が図示しない係止部材としてのバンド等で固定されている。
【００３２】
マイクロポンプ６０の構造は、後述する図２で説明するが、一端からチューブ６１が流体収容部６４から延在され、２層で形成されるレンズ３１，３２の内部、即ち、層間の空隙部３４（図３、参照）まで連通している。
【００３３】
チューブ６１は、可撓性を有しており、シリコンゴム等で成形されている。チューブ６１は、智４５とリム４０とを貫通して空隙部３４に連通しているが、チューブ外周は、レンズ３０とは密閉状態である。また、チューブ６１の長さは、テンプル５０が蝶番４６を軸に回動するために必要な余裕をもって設定されている。
【００３４】
マイクロポンプ６０は、左右のテンプルに一対装着されており、左右のレンズ３０にチューブ６１が連通している。また、マイクロポンプ６０の上部側面には、操作部材としてのボタン６０ａ，６０ｂ，６０ｃが設けられている。ボタン６０ａは、流体をレンズ内に注入する操作をするＩＮボタン、６０ｂは液体の流動を停止するための停止ボタン、６０ｃは流体をレンズ外に吸引するＯＵＴボタンである。
【００３５】
続いて、本実施形態に係る流体輸送器としてのマイクロポンプ６０の構造について説明する。
図２は、本実施形態にマイクロポンプ６０の斜視図である。図２では、蓋体６７を取り外した状態を示している。図２において、マイクロポンプ６０は、筐体６２の内部に構成される流体収容部６４と駆動部６９と、チューブ６１とから構成されている。
【００３６】
流体収容部６４は、蓋体６７を装着されることで密閉されるが、蓋体６７には、通気性フィルム６８が設けられており、気体だけが流通し、液体は閉塞する構造としている。流体収容部６４には、レンズ３０の材料と屈折率が同じで、レンズ３０の材質に対して不活性な液体が収容されている。流体収容部６４にはチューブ６１の一方の端部が連通している。
【００３７】
チューブ６１と流体収容部６４との連通部は、パッキンや接着剤等で密閉されている。チューブ６１は、駆動部６９の周縁に沿ってマイクロポンプ６０の外部に延在され、他方の端部が、前述したようにレンズ３０の空隙部３４に連通している。
【００３８】
駆動部６９は、筐体６２の内部に、円盤状のローター台６６と、ローター台６６に装着された４個のローラー６５と、ローラー６５に押圧される複数のチューブ押圧部材６３とから構成されている。チューブ６１は、チューブ押圧部材６３と筐体６２との間に挿着され、チューブ押圧部材６３によって押圧される。
【００３９】
次に、このマイクロポンプ６０の作動について説明する。ローター台６６は、図示しないモーターからの回転力で反時計回りに回転する。ローター台６６に装着されるローラー６５が、図中右側のチューブ押圧部材６３から順次、反時計回りに押圧していく蠕動運動により、チューブ６１を圧搾して、流体収容部６４に収容されている液体を流動させる。
【００４０】
マイクロポンプ６０には、前述した構成部材の他に、図示しない電源としての電池と、モーターを駆動制御する駆動制御回路と、液体の流動方向変える駆動切換え回路を備えている。この駆動制御回路は、モーターを所定の速度で回転させる他、駆動切換え回路と協動して、ＩＮボタン６０ａの操作によりローター台６６を液体がレンズ３０に注入される方向に回転させ、停止ボタン６０ｂの操作により回転を停止し、ＯＵＴボタンの操作によりレンズ３０から液体が吸引される方向に回転させる機能を有している。
【００４１】
なお、ローター６５（チューブ押圧部材６３）は、マイクロポンプ６０の駆動、停止にかかわらず、どれか一つがチューブ６１の一部を閉塞するように配置されているので、流体の漏洩はない。
【００４２】
また、本実施形態では、マイクロポンプ６０には、筐体６２の内部に流体収容部６４が設けられているが、別体のパック状の流体収容容器を備える構造も採用できる。
【００４３】
続いて、本実施形態に係るレンズ３０の屈折率の調整方法について説明する。
図３（ａ）、（ｂ）には、凸レンズを例示する断面図、図３（ｃ）には、凹レンズを例示している。まず、凸レンズについて説明する。図３（ａ）において、レンズ３０は、外側レンズ３１と内側レンズ３２とが２層に積層された状態で一体化されている。内側レンズ３２が、ユーザーが装着したときに顔面方向にあたる。
【００４４】
外側レンズ３１と内側レンズ３２とは、外周部の全周にわたって接着部３３が設けられ、チューブ６１との連通部以外は密閉されている。また、外側レンズ３１と内側レンズ３２との間には、接着部３３で囲まれた範囲で僅かな空隙部３４が形成され、その空隙部３４には、前述した液体が充填されている。
【００４５】
ここで、マイクロポンプ６０を駆動して空隙部３４に液体を注入する。液体を注入した状態を図３（ｂ）に示す。本実施形態では、内側レンズ３２が外側レンズ３１よりも薄く形成されているので、液体を注入することにより内側レンズ３２が図で示すように撓み、レンズ中央部が図３（ａ）の状態よりも厚くなる。外周部は接着されているので変形せず、凸レンズとしては屈折率が高くなる。
【００４６】
液体の注入量は、ユーザーが適正な屈折率（度数）に達したときに停止すればよい。また、注入しすぎたときは、ＯＵＴボタン６０ｃを操作して、液体を吸引して最適な状態に調整することができる。
【００４７】
なお、外側レンズ３１と内側レンズ３２とは、初期状態では、液体を充填せず密接状態にしておき、液体を注入して屈折率調整をすることができる。
また、空隙部３４に液体を注入する際、空隙部内部の空気を排除するために、排気チューブを設け、流体収容部６４に連通させておけば、液体の注入を円滑に行うことができる。
【００４８】
このような構成において、注入される液体が、レンズ３０と同じ屈折率を有しているために、外側レンズ３１及び内側レンズ３２と液体との界面では入射される光の反射がないため、像のゆがみや入射光の減衰等の影響を抑えることができる。
【００４９】
続いて、図３（ｃ）を参照して、凹レンズの例を説明する。レンズ３０は、凸レンズと同様に外側レンズ３１と、内側レンズ３２とが積層されて構成されている。外側レンズ３１と内側レンズ３２との間には空隙部３４が設けられ、予め前述した液体が収納されている。このような状態で、凹レンズが形成されている。従って、空隙部３４は液体充填部でもある。
【００５０】
ここで、マイクロポンプ６０を駆動し収納されている液体を吸引することにより、空隙部３４の中心部の厚みが小さくなり、屈折率が高くなる（度数が高くなる）。
【００５１】
逆に、液体を注入すれば、空隙部３４の中心部の厚みが増加し、屈折率が低くなる（度数が下がる）。レンズ３０の外周部は、接着部３３で固定されているため、この接着部近傍の空隙部の厚みは変化せず、中心部近傍の厚みが変化することになる。
（実施形態１の変形例）
【００５２】
次に、実施形態１の変形例について説明する。この変形例は、前述した実施形態１による凸レンズ及び凹レンズと同じ構造であり、液体として紫外線吸収性液体を使用することに特徴を有している。従って、図面を省略する。紫外線吸収性液体は、マイクロポンプ６０によって空隙部３４に注入、あるいは空隙部３４から吸引される。
【００５３】
従って、レンズ３０の屈折率（度数）が変更できる他、度付きサングラスとして使用することができる。
なお、ここで採用される紫外線吸収性液体は、レンズの屈折率と同じ屈折率を有している。
【００５４】
また、凸レンズ、凹レンズに限らず、外側レンズ３１と内側レンズ３２、及び空隙部３４の厚みを一定にしておけば、一般のサングラスとしても使用することが可能となる。
【００５５】
また、サングラスに応用される本変形例には、マイクロポンプ６０の一部に、図示しない光検出センサーとしての紫外線検出センサーと、検出回路と、が備えられている。紫外線検出センサーでは、外部の紫外線量を検出し、検出回路に検出信号を入力する。この検出信号を受けて、所定の紫外線量に達したときにマイクロポンプ６０を駆動して紫外線吸収性液体をレンズ３０に注入する。また、所定の紫外線量以下になったときには、紫外線吸収性液体を吸引することもできる。
【００５６】
さらに、レンズ３０の内部に注入する液体の色を複数種類用意し、マイクロポンプ６０で、交換することで、レンズ３０の色を自在に変更することもできる。
【００５７】
従って、前述した実施形態１によれば、レンズ３０の空隙部３４に液体を注入、または吸引することで、凹レンズ、凸レンズの厚みを変更して屈折率を変えることにより、ユーザーにとって最適な度数の眼鏡を得ることができる。
【００５８】
さらに、注入する液体をレンズと同じ屈折率にすることで、レンズと液体との界面における光の全反射を防止し、光の透過率を高めると共に、像のゆがみを防止することができる。
なお、この液体は、レンズとの関係において不活性であるため、レンズ表面の特性に影響を与えることがなく、長期間にわたって所望の性能を維持することができる。
【００５９】
また、レンズ３０の層間（空隙部３４）に紫外線吸収性液体を注入することで、紫外線カット機能が高いサングラス、度付きサングラスを提供することができる。また、紫外線吸収性液体をマイクロポンプ６０で全て吸引すれば、素通しの明るいレンズの状態も得ることができる。
【００６０】
また、本実施形態では流体輸送器として蠕動式のマイクロポンプ６０を採用している。このマイクロポンプ６０は、小型化が可能で、眼鏡や後述するゴーグルに違和感なく装着することができる。
さらに、流体を流動するチューブ６１の一部をチューブ押圧部材６３によって常時閉塞しているため、液体の漏洩を防止し、同じ状態を維持することができる。
また、チューブ６１は、可撓性を有しているため、眼鏡、ゴーグルを装着する際において、テンプル５０を動かしても柔軟に連動することができる。
【００６１】
さらに、マイクロポンプ６０が、液体の流動方向を切換える駆動切換え回路を備え、液体の流動方向を切換えることができるので、液体の吸入、吸引を容易に切換えることができ、ユーザーが簡単に操作し、最適な調整をすることができる。
【００６２】
さらに、紫外線検出センサーを備え、紫外線検出センサーの検出値に従い、レンズ３０内に紫外線吸収性液体を注入することにより、検出値に対応して紫外線を低減することができるという効果がある。
（実施形態２）
【００６３】
続いて、本発明に係る実施形態２について図面を参照して説明する。実施形態２は、眼鏡、ゴーグル等の防曇に関するものである。
図４は、実施形態２に係る眼鏡装置の一部を示すレンズ部の断面図である。図４において、マイクロポンプ６０から延在されたチューブ６１は、智４５、リム４０を貫通してレンズ３０の内面３０ａに沿うように端部が突出されている。
【００６４】
まず、実施形態２に係る実施例の一つについて説明する。マイクロポンプ６０の流体収容部６４の周囲にはヒーター、また筐体６２の外周部及び内側には温度センサー、内部にヒーター制御回路（共に図示せず）が備えられている。
流体収容部６４には、液体は収容されておらず、空気が収容されている。流体収容部６４と外気とは、通気性フィルム６８を介して流通している。
【００６５】
眼鏡やゴーグルは、ユーザーが装着した際に、外気温とレンズ表面（特に装着側）に温度差があると曇りが発生しやすいことが知られている。そこで、本実施形態では、温度センサーによって、眼鏡装置内外の温度差を検出し、その温度差によって流体収容部６４内の空気をヒーターによって加熱し、この加熱された空気をレンズ３０の内面に沿って吐出してレンズ３０の曇りを除去する。
【００６６】
空気の加熱温度は、外気温に対して１〜２度程度高くすれば効果があり、ユーザーに不快感がない程度に設定される。
【００６７】
次に、実施形態２の他の実施例について説明する。眼鏡装置の構造は、前述した実施例の一つと同じであるため説明を省略する。流体収容部６４には、表面活性剤からなる液体が収容されている。ここで、マイクロポンプ６０を駆動して表面活性剤をレンズ３０の内面３０ａに吐出する。表面活性剤は、レンズ３０の内面３０ａに一様に塗布され、乾燥することで、表面活性膜３５が形成される。
【００６８】
レンズ表面に形成される表面活性膜は、防曇処理として知られ、湿気によりレンズ表面が曇ることを低減する機能を有する。
【００６９】
なお、図４では、レンズ３０の内面３０ａに暖められた空気を吐出、あるいは、表面活性剤を塗布したが、レンズ３０の外面に暖められた空気を吐出、あるいは、表面活性剤を塗布する構造にすることができるほか、チューブ６１を分岐して、レンズ３０の内面、外面共に、前述の防曇処理を施す構造を採用することができる。
【００７０】
従って、前述した実施形態２によれば、マイクロポンプ６０によって、空気を加熱してレンズ３０の内面３０ａに吐出することにより、レンズ３０の表面に付着している湿気による曇りを除去することができる。この操作は、ユーザーが必要としたときに容易に行うことができる。
【００７１】
また、マイクロポンプ６０によって、レンズ３０の内面３０ａに表面活性剤を塗布し、レンズの防曇性能を高めることができる。なお、表面活性剤も、ユーザーが必要とするときにマイクロポンプ６０を駆動して塗布することができる。
（実施形態３）
【００７２】
続いて、本発明に係る実施形態３について図面を参照して説明する。実施形態３は、眼鏡装置として水泳用ゴーグルを例にあげ説明している。
図５は、実施形態３に係る水泳用ゴーグルの構造を示す斜視図である。図５において、眼鏡装置としての水泳用ゴーグル１１は、二つのレンズ３０と、レンズ３０を保持するフレーム４１と、レンズ３０とフレーム４１とからなるフロント部をユーザーが装着するための係止帯５１と装着帯５２とから構成されている。
【００７３】
左右一対のフレーム４１は、ブリッジ５５で回動可能に連結されている。装着帯５２のフレーム４１側端部には、一対の流体輸送器としてのマイクロポンプ６０が装着されている。マイクロポンプ６０の構造は、前述した実施形態１（図２、参照）と同じであるため説明を省略するが、チューブ６１が、マイクロポンプ６０の内外を連通している。
【００７４】
チューブ６１は、フレーム４１を貫通してレンズ３０にまで達している。レンズ３０は、実施形態１と同様な形態をしており、図３（ａ）〜（ｃ）で示すように、マイクロポンプ６０を駆動して液体をゴーグルのレンズ３０の内部、即ち空隙部３４に注入して、屈折率（度数）を変更する。
【００７５】
また、実施形態２（図４、参照）と同様に、暖められた空気をレンズ３０の内面３０ａに吐出することができ、さらに、表面活性剤を内面３０ａに塗布することができる。
【００７６】
さらに、チューブ６１を、フロント部の内部（フロント部とユーザーの顔面との間）に突出させる構造を採用することができる。この場合、マイクロポンプ６０の流体収容部６４には液体は収容せず、マイクロポンプ６０を駆動して、前記フロント内部から空気を吸引する。水泳用ゴーグル１１は、フレーム４１が弾性を有するゴム系樹脂で形成され、フロント内部に水が浸入しないようにしている。
【００７７】
ここで、フロント内部の空気を吸引することで、フロント部の外部に比べ圧力差が発生し、フレーム４１が顔面と密着する。
【００７８】
従って、前述した実施形態３によれば、水泳用ゴーグル１１を実施形態１、実施形態２と同様な構造を採用することにより、ユーザーがマイクロポンプ６０を駆動してレンズ３０の屈折率を最適に調整することができ、また、レンズ３０の曇りを低減することができる。
【００７９】
水中においては、水の屈折率の影響をうけ、空気中での最適屈折率（度数）とは変化するため、水泳用ゴーグルに本発明を応用することで、水中での度数を最適にすることができる。
【００８０】
さらに、フロント部内の空気を吸引して、フロント部内外の圧力差をつくることにより、フレーム４１の顔面への密着性を高め、快適な装着感を提供することができるという効果がある。
（実施形態４）
【００８１】
続いて、本発明に係る実施形態４について図面を参照して説明する。実施形態４は、眼鏡装置としてのスキー用ゴーグル、特に、度付きゴーグルインナークリップを備えるゴーグルを例示し説明する。
図６は、実施形態４に係るスキー用ゴーグルを示す正面図である。図６において、スキー用ゴーグル１２は、フレーム７１と、フレーム７１に保持される風防７２と、フレーム７１と風防７２とからなるフロント部をユーザーに装着する装着帯５２と、装着帯５２に装着される流体輸送装置としての一対のマイクロポンプ６０と、から構成されている。
【００８２】
フロント部の内部には、視力矯正用のゴーグルインナークリップ７０が、フレーム７１に係止部４２によって係止されている。ゴーグルインナークリップ７０は、リム４０と、一対のレンズ３０と、から構成されているが、実施形態１（図１、参照）に示す眼鏡装置１０からテンプル５０をなくした構造に類似している。
【００８３】
装着帯５２に装着されたマイクロポンプ６０からは、マイクロポンプ６０の内外を連通するチューブ６１がフレーム７１とリム４０とを貫通してレンズ３０まで連通している。レンズ３０とリム４０とチューブ６１の構成、連通構造は、図３（ａ）〜（ｃ）と同じであり、マイクロポンプ６０の構造は、図２において説明した構造と同じであるため詳しい説明を省略する。
【００８４】
ここで、マイクロポンプ６０を駆動して、液体をレンズ３０に形成される空隙部３４に注入または吸引して、レンズ３０の屈折率（度数）を調整する。
また、前述した実施形態２（図４、参照）で示したように、チューブ６１をレンズ３０の内面３０ａに沿って延在させ、外気より暖めた空気を吐出する構造にすること、表面活性剤を、レンズ３０の内面３０ａに塗布する構造を採用することもできる。
【００８５】
さらに、フロント部の風防７２の内面に、チューブ６１を延在させ、フロント内部に暖められた空気を吐出する構造にすることもできる。
【００８６】
従って、前述した実施形態４によれば、スキー用ゴーグル１２を実施形態１、実施形態２と同様な構造を採用することにより、ユーザーがマイクロポンプ６０を駆動してレンズ３０の屈折率を最適に調整することができ、また、レンズ３０の曇りを低減することができる。
【００８７】
さらに、フロント部の風防７２に暖気を塗布する構造では、風防の曇りを除去することができる。スキー用ゴーグルでは、外気温とフロント内部の温度の差が大きいので、本発明による暖められた空気をレンズ３０または風防７２に吐出する構造は、防曇効果が大きいと考えられる。
なお、このような構造は、自動二輪車用ヘルメットの風防にも応用することができる。
（実施形態５）
【００８８】
続いて、本発明に係る実施形態５について図面を参照して説明する。実施形態５は、眼鏡装置としての溶接作業用のウエルディングゴーグルを例示して説明する。
図７は、ウエルディングゴーグルを示し、図７（ａ）は、その斜視図、図７（ｂ）は、風防１０３の断面図である。図７では、ヘルメット型のウエルディングゴーグルを例示しているが、本実施形態は、この形式以外のものにも応用することができる。図７（ａ）において、眼鏡装置としてのウエルディングゴーグル１３は、風防１０３と、風防１０３を保持するフレーム１０２と、風防１０３と風防１０３とからなるフロント部を保持するヘルメット部１０１と、から構成されている。
【００８９】
ヘルメット部１０１の側面には、流体輸送器としてのマイクロポンプ６０が装着されている。マイクロポンプ６０からは、マイクロポンプ６０の内外を連通するチューブ６１がフレーム１０２を貫通して風防１０３まで連通している。
【００９０】
風防１０３の構造については、図７（ｂ）に示す。図７（ｂ）において、風防１０３は、外側レンズ１０４と、内側レンズ１０５と、から構成され、外側レンズ１０４と内側レンズ１０５との間に空隙部１０７が形成されている。この空隙部１０７は、外側レンズ１０４と内側レンズ１０５とを接着する際に、接着層１０６によって形成される。
この空隙部１０７にチューブ６１が連通しており、マイクロポンプ６０を駆動して、流体として遮光性液体が注入される。
【００９１】
溶接作業では、扱う材料によって射出される光の波長が異なり、その光の波長によっては有害光となり、また、射出光の輝度も異なるため、作業性と安全性の両面から、遮光性液体の種類が選択される。
【００９２】
ここで、本実施形態に係るウエルディングゴーグル１３には、風防１０３を含んで、風防１０３の近傍に備えられる光検出センサー（図示せず）と、マイクロポンプ６０の内部には、光検出制御回路が備えられている。光検出センサーとしては、溶接時に射出される光の波長を検出する機能と、その光の輝度を検出する機能とを備えている。
【００９３】
また、光検出制御回路は、光検出センサーが検出する波長及び輝度が所定の値を超えたときに、駆動制御回路に信号を入力してマイクロポンプ６０を駆動し遮光性液体を空隙部１０７に注入する。即ち、光検出センサーの検出に従い、マイクロポンプ６０を駆動させることができる。
【００９４】
なお、光検出センサーを用いずに、予め所定の遮光性を有する遮光性液体をマイクロポンプ６０によって注入しておくこともできる。
また、ウエルディングゴーグルとしては、フロント部が可動式のゴーグルを備える構造にも採用することができる。
【００９５】
さらに、前述したサングラスと同様に、風防１０３の内部に注入する液体を、色、光透過率が異なる複数種類用意して、マイクロポンプ６０で交換することもできる。
【００９６】
従って、前述した実施形態５によれば、溶接作業による有害光線の波長、輝度にあわせて遮光性液体を風防１０３の空隙部１０７に注入することで、作業の種類（材質）に合わせて遮光性のレベルを調整することができ、安全性を高めることができる。
【００９７】
なお、本発明は前述の実施形態に限定されるものではなく、本発明の目的を達成できる範囲での変形、改良等は本発明に含まれるものである。
例えば、前述の実施形態１〜実施形態５では、眼鏡装置として、矯正眼鏡、サングラス、水泳用ゴーグル、スキー用ゴーグル、ウエルディングゴーグルを例示して説明したが、本発明は、これらに限らず、ユーザーが装着する機器のレンズ、風防に採用できる他、カメラ用のレンズ、拡大レンズ、製造装置等の覗き窓、電子機器の表示部の風防等に追応用することができる。
【００９８】
さらに、前述の実施形態１〜実施形態５では、液体としては、不活性液体、紫外線吸収性液体、遮光性液体、表面活性剤等を例示したが、液体としては、これらに限らず、油性液体、芳香性液体、特定の波長の光のみ吸収する液体等を採用することができる。
【００９９】
さらに、気体としては、空気を例示しているが、他に、医療用の気体、芳香性の気体等を採用することができる。
【０１００】
従って、前述の実施形態１〜実施形態５では、ユーザーが、眼鏡及びゴーグルのレンズの屈折率、紫外線の透過量、遮光性を任意に調整でき、また防曇処理を行うことができる眼鏡装置を提供することができる。
【図面の簡単な説明】
【０１０１】
【図１】本発明の実施形態１に係る眼鏡装置を示す斜視図。
【図２】本発明の実施形態１に係るマイクロポンプの斜視図。
【図３】（ａ）、（ｂ）は本発明の実施形態１に係る凸レンズを示す断面図、（ｃ）は、凹レンズを示す断面図。
【図４】本発明の実施形態２に係るレンズを示す断面図。
【図５】本発明の実施形態３に係る水泳用ゴーグルを示す斜視図。
【図６】本発明の実施形態４に係るスキー用ゴーグルを示す正面図。
【図７】本発明の実施形態５に係るウエルディングゴーグルを示し、（ａ）は斜視図、（ｂ）は風防の断面図。
【符号の説明】
【０１０２】
１０…眼鏡装置、１１…水泳用ゴーグル、１２…スキー用ゴーグル、１３…ウエルディングゴーグル、３０…レンズ、６０…流体輸送器としてのマイクロポンプ、７２，１０３…風防。
【図１】
2006251448.tif 000003
【図２】
2006251448.tif 000004
【図３】
2006251448.tif 000005
【図４】
2006251448.tif 000006
【図５】
2006251448.tif 000007
【図６】
2006251448.tif 000008
【図７】
2006251448.tif 000009